(57)【要約】【課題】妨害電波の影響の少ない高周波装置を提供することを目的としたものである。【解決手段】この目的を達成するために本発明の高周波装置は、入力端子２２と混合器２７との間に妨害信号を除去する妨害除去フィルタ２４を挿入するとともに、少なくとも前記妨害信号が発射されている時間中のみ妨害除去フィルタ２４を有効とするものである。これにより、妨害の影響を少なくすることができるものであり、高品質の受信が可能である。【選択図】図１
2005303698.tif 000002
【特許請求の範囲】
【請求項１】
予め予想される周波数が既知である妨害信号と高周波信号とが共に入力される入力端子と、この入力端子に入力された信号が一方の入力に供給されるとともに、他端の入力には局部発振器の出力が接続された混合器と、この混合器の出力が供給される出力端子とを備え、前記入力端子と前記混合器との間に前記妨害信号を除去する妨害除去フィルタを挿入するとともに、少なくとも前記妨害信号が発射されている時間のみ前記妨害除去フィルタを有効とする高周波装置。
【請求項２】
入力端子からデジタル高周波信号が入力されるとともに、混合器と出力端子との間に復調器と誤り訂正回路とをこの順に挿入し、前記誤り訂正回路から出力される誤り訂正信号の値が予め定められた値を超えた時間のみ、妨害除去フィルタを有効にする請求項１に記載の高周波装置。
【請求項３】
請求項１に記載の高周波装置の近傍に携帯電話機を設けるとともに、この携帯電話機の送信周波数と妨害除去フィルタの妨害周波数とを一致させ、少なくともこの携帯電話機から送信電波が発射されている時間は、前記妨害除去フィルタを有効にする高周波装置。
【請求項４】
混合器の出力にＡＧＣ電圧検出回路を設け、このＡＧＣ電圧検出回路の出力が予め定められた電圧範囲内のときは、妨害除去フィルタを有効にする請求項２に記載の高周波装置。
【請求項５】
入力端子に接続されるとともに妨害除去フィルタの妨害信号を通過させる妨害通過フィルタと、この妨害通過フィルタの出力に接続された妨害信号検出器とを設け、前記妨害信号検出器からの出力が予め定められた値を超えた時間のみ前記妨害除去フィルタを有効にする請求項１に記載の高周波装置。
【請求項６】
妨害除去フィルタと妨害通過フィルタの中心周波数を連動して可変させる請求項５に記載の高周波装置。
【発明の詳細な説明】
【技術分野】
【０００１】
本発明は、妨害信号と高周波信号が共に入力される高周波装置に関するものである。
【背景技術】
【０００２】
以下、従来の高周波装置について説明する。従来の高周波装置は、図４に示すような構成となっていた。即ち、従来の高周波装置は、アンテナ１が接続される入力端子２と、この入力端子２に接続された入力フィルタ３と、この入力フィルタ３の出力に接続されるとともにＡＧＣ制御端子を有するＡＧＣ増幅器４と、このＡＧＣ増幅器４の出力に接続された同調フィルタ５と、この同調フィルタ５の出力が一方の入力に接続された混合器６と、この混合器６の出力に接続された中間周波数フィルタ７と、この中間周波数フィルタ７の出力に接続された中間周波数増幅器８と、この中間周波数増幅器８の出力に接続された復調器９と、この復調器９の出力に接続された誤り訂正回路１０と、この誤り訂正回路１０の出力に接続された出力端子１１と、前記混合器６の出力とＡＧＣ増幅器４のＡＧＣ制御端子との間に接続されたＡＧＣ電圧検出回路１２と、前記混合器６の他方の入力に接続された局部発振器１３と、この局部発振器１３にループ接続されたＰＬＬ回路１４と、このＰＬＬ回路１４の出力が前記同調フィルタ５の同調入力端子に接続されるとともに、このＰＬＬ回路１４の他方の入力に接続された水晶発振子１５とで構成されていた。また、１６は高周波装置に内蔵された携帯電話機であり、１６ａはそれに使用されるアンテナである。また、誤り訂正回路１０は、ビタビ回路１０ａとリードソロモン回路１０ｂとの直列接続体で構成されている。
【０００３】
以上のように構成された高周波装置について、以下にその動作を説明する。アンテナ１に入力されたデジタル高周波信号は、同調フィルタ５で希望波が同調されて選局された後、混合器６で局部発振器１３の出力と混合されて中間周波数が出力される。この中間周波数は、復調器９で復調された後、誤り訂正回路１０で誤りが訂正されて出力端子１１から出力される。
【０００４】
なお、この出願の発明に関連する先行技術文献資料としては、例えば、特許文献１が知られている。
【特許文献１】特開２０００−１３３５７号公報
【発明の開示】
【発明が解決しようとする課題】
【０００５】
しかしながらこのような従来の高周波装置では、この高周波装置に内蔵された携帯電話機１６で会話がなされると、この携帯電話機１６の送信信号がアンテナ１６ａから放射される。そうすると、この携帯電話機１６から出力された送信信号はアンテナ１で受信されることになる。そして、このアンテナ１で受信された信号が現在受信中の希望電波に近い場合には、この送信信号が妨害電波となり、希望電波の受信が困難になるという問題があった。
【０００６】
そこで本発明は、この問題を解決したもので、妨害電波の影響の少ない高周波装置を提供することを目的としたものである。
【課題を解決するための手段】
【０００７】
この目的を達成するために本発明の高周波装置は、入力端子と混合器との間に妨害信号を除去する妨害除去フィルタを挿入するとともに、少なくとも前記妨害信号が発射されている時間中のみ前記妨害除去フィルタを有効とするものである。これにより、妨害の影響を少なくすることができる。
【発明の効果】
【０００８】
入力端子と混合器との間に妨害信号を除去する妨害除去フィルタが挿入されており、この妨害除去フィルタは、妨害信号が発射されている時間中のみ有効として働くので、妨害信号が出力されていない時間はこの妨害除去フィルタの影響を受けることはなく高品質の受信が可能である。
【発明を実施するための最良の形態】
【０００９】
以下、本発明の実施の形態について図面に基づいて説明する。
【００１０】
（実施の形態１）
図１は、本発明の実施の形態１における高周波装置のブロック図である。実施の形態１における妨害信号は、予め予想される妨害周波数を排除するものである。例えば、高周波装置に携帯電話機が組み込まれたとき、この携帯電話機から出力される予め定められた送信信号等を排除するものである。
【００１１】
図１において、本実施の形態１における高周波装置は、アンテナ２１が接続される入力端子２２と、この入力端子２２に接続された入力フィルタ２０と、この入力フィルタ２０の出力が共通端子２３ａに接続された切り替えスイッチ２３と、この切り替えスイッチ２３の一方の端子２３ｂが接続されるとともに妨害信号を除去する妨害除去フィルタ２４と、この妨害除去フィルタ２４の出力と前記切り替えスイッチ２３の他方の端子２３ｃの信号が入力されるとともにＡＧＣ制御端子２５ａを有するＡＧＣ増幅器２５と、このＡＧＣ増幅器２５の出力に接続された同調フィルタ２６と、この同調フィルタ２６の出力が一方の入力に接続された混合器２７と、この混合器２７の出力に接続された中間周波数フィルタ２８と、この中間周波数フィルタ２８の出力に接続された中間周波数増幅器２９と、この中間周波数増幅器２９の出力に接続された復調器３０と、この復調器３０の出力に接続されたビタビ回路３１ａと、このビタビ回路３１ａの出力に接続されたリードソロモン回路３１ｂと、このリードソロモン回路３１ｂの出力に接続された出力端子３２と、前記混合器２７の出力とＡＧＣ増幅器２５のＡＧＣ制御端子２５ａとの間に接続されたＡＧＣ電圧検出回路３３と、前記混合器２７の他方の入力に接続された局部発振器３４と、この局部発振器３４とループ接続されたＰＬＬ回路３５と、このＰＬＬ回路３５の出力が前記同調フィルタ２６の同調入力端子に接続されるとともに、このＰＬＬ回路３５の他方の入力に接続された水晶発振子３６と、前記ＰＬＬ回路３５に接続されたデータ入力端子３７と、前記ビタビ回路３１ａの出力に接続された誤り訂正信号計数器３８と、この誤り訂正信号計数器３８の出力が接続されるとともに、前記切り替えスイッチ２３を制御する切り替えスイッチ制御部３９とを備えたものである。
【００１２】
ここで、４０は高周波装置内に設けられた携帯電話機であり、この携帯電話機４０の送信検出信号４１も切り替えスイッチ制御部３９に入力されている。また、ビタビ回路３１ａとリードソロモン回路３１ｂとで誤り訂正回路３１を構成している。なお、妨害除去フィルタ２４は、同調フィルタ２６と混合器２７の間に設けても良い。このことにより、ＡＧＣ増幅器２５が妨害除去フィルタの前段に設けられるので、ＮＦ性能が良くなる。
【００１３】
以上のように構成された高周波装置について、以下にその動作を説明する。アンテナ２１に入力されたデジタル高周波信号は、入力フィルタ２０で大まかな選局が行われる。そして、この入力フィルタ２０の出力は電子回路で形成された切り替えスイッチ２３の共通端子２３ａに入力される。
【００１４】
ここで、妨害信号となる送信信号が出力されている場合、この切り替えスイッチ２３は一方の端子２３ｂ側に切り替えて設定し、アンテナ２１から入力された高周波信号は、妨害除去フィルタ２４を介して、ＡＧＣ増幅器２５に入力される。
【００１５】
一方、妨害信号となる送信信号が出力されていない場合、或いは、出力されていても、誤り訂正回路３１で訂正可能である場合には、切り替えスイッチ２３は他方の端子２３ｃに切り替えて設定し、アンテナ２１から入力された高周波信号は直接ＡＧＣ増幅器２５に入力される。
【００１６】
そして、このＡＧＣ増幅器２５の出力は、同調フィルタ２６で受信希望局が選択された後、混合器２７で局部発振器３４の出力と混合されて中間周波数が出力される。この中間周波数は、中間周波数フィルタ２８と中間周波数増幅器２９を介して復調器３０に入力される。そして、アンテナ２１から入力された高周波信号はこの復調器３０で復調される。
【００１７】
なお、ここで、混合器２７の出力はＡＧＣ電圧検出回路３３にも入力されていて、このＡＧＣ電圧検出回路３３の出力でＡＧＣ増幅回路２５の増幅度を制御している。従って、混合器２７に過大な信号が入力されないようにしている。このことにより、混合器２７での歪みを低減している。
【００１８】
復調器３０で復調された信号（ベースバンド信号）は、誤り訂正回路３１で誤りが訂正されて出力端子３２から誤りのない信号が出力される。なお、この誤り訂正回路３１は、ビタビ回路３１ａとリードソロモン回路３１ｂとで構成されており、ビタビ回路３１ａから出力される誤り率が２×１０のマイナス４乗以内（以後、誤り訂正可能範囲という）の誤りは全て訂正することができる。
【００１９】
従って、ビタビ回路３１ａから出力される誤り訂正数を誤り訂正計数器３８で計数して、その数が誤り訂正可能範囲であったならば、切り替えスイッチ制御部３９で切り替えスイッチ２３を他方の端子２３ｃにしておく。従って、この場合には、アンテナ２１から入力される高周波信号は、妨害除去フィルタ２４を通らないので、この妨害除去フィルタ２４の影響を受けることはなく、高品質の受信が可能となる。
【００２０】
ところが、ビタビ回路３１ａから出力される誤り訂正数が誤り訂正可能範囲外であったならば、切り替えスイッチ制御部３９で切り替えスイッチ２３を一方の端子２３ｂにする。そうすると、アンテナ２１から入力される高周波信号は、妨害除去フィルタ２４を通過することになる。従って、妨害信号は、この妨害除去フィルタ２４で除去されるので、誤り訂正回路３１では誤りを訂正する回数は少なくなり、誤り訂正が可能となる。
【００２１】
また、この高周波装置に設けられた携帯電話機４０から信号が送信されている間は、その送信検出信号４１を活用して、切り替えスイッチ制御部３９で、誤り訂正計数器３８の出力に基づき、切り替えスイッチ２３を適宜切り替えることもできる。従って、例え、高周波装置の近傍で携帯電話機４０から送信電波が発射されても、誤りが訂正された受信が可能となる。また、携帯電話機４０から送信検出信号４１が出力されていないときは、妨害除去フィルタ２４を通過しないので、この妨害除去フィルタ２４の影響を受けない高品質の受信が可能となる。
【００２２】
例えば、携帯電話機４０の送信周波数が８００ＭＨｚ（固定）であるときは、妨害除去フィルタ２４の中心周波数は８００ＭＨｚとし、携帯電話機４０の送信周波数が１５００ＭＨｚであるときは、妨害除去フィルタ２４の中心周波数も１５００ＭＨｚ（固定）とする。
【００２３】
このように、入力端子２２と混合器２７との間に妨害信号を除去する妨害除去フィルタ２４が挿入されているので、妨害信号が混合器２７に入力されることはない。従って、例え妨害信号があったとしても、この妨害信号の影響を受けない高周波装置を得ることができる。
【００２４】
また、この妨害除去フィルタ２４は、妨害信号が発射されている時間中のみ有効として働くので、妨害信号が出力されていない時間はこの妨害除去フィルタ２４の影響を受けることはなく高品質の受信が可能である。
【００２５】
更に、デジタル放送を受信している場合には、誤り訂正回路３１により、訂正可能範囲内である場合には、例え妨害信号が発射されていても、妨害除去フィルタ２４を有効にする必要はない。従って、妨害除去フィルタ２４による影響はなく、品質の高い受信が可能となる。
【００２６】
３７は、選局データの入力端子であり、この選局データ入力端子３７から入力されたデータでＰＬＬ回路３５が制御され、希望する放送局の電波が受信できるように、局部発振器３４の発振周波数と、同調フィルタ２６の中心周波数を制御する。
【００２７】
（実施の形態２）
図２は、実施の形態２における高周波装置のブロック図である。実施の形態２における妨害信号も、予め予想される周波数を排除するものである。例えば、デジタル放送の７チャネルを受信しているときに、隣接する６チャネル或いは８チャネルのアナログ放送が妨害信号として存在する場合である。
【００２８】
従って、この場合の妨害除去フィルタ２４ｂの中心周波数（６チャネル或いは８チャネル）は、外部からアンテナ２１に入力される予め定まった妨害周波数（６チャネル或いは８チャネル）に対して効果を奏するものである。
【００２９】
実施の形態２においては、入力される妨害信号が過大であるために混合器２７から出力される希望信号が小さい場合に、切り替えスイッチ２３を制御するものである。なお、実施の形態１と同じものについては、同符号を付して説明を簡略化している。
【００３０】
本実施の形態においては、ＡＧＣ電圧検出回路３３の出力と誤り訂正計数器３８の出力を切り替えスイッチ制御部４５に接続し、この切り替えスイッチ制御部４５の出力で切り替えスイッチ２３を制御するものである。即ち、ＡＧＣ電圧検出回路３３の出力が予め定められた電圧範囲内であって、誤り訂正計数器３８の出力が誤り訂正可能範囲外である場合には、切り替えスイッチ２３を一方の端子２３ｂ側にする。そして、アンテナ２１から入力される高周波信号は、妨害除去フィルタ２４ｂを通過させるようにする。
【００３１】
なお、誤り訂正計数器３８の出力が誤り訂正可能範囲であったなら、例え、ＡＧＣ電圧検出回路３３の出力が予め定められた電圧範囲内の場合であっても、切り替えスイッチ２３を他方の端子２３ｃ側へ切り替えて、妨害除去フィルタ２４ｂを通過させる必要はない。
【００３２】
このことにより、訂正可能範囲内である場合には、妨害除去フィルタ２４を有効にする必要はない。従って、妨害除去フィルタ２４の影響はなく、品質の高い受信が可能となる。
【００３３】
（実施の形態３）
図３は、実施の形態３における高周波装置のブロック図である。実施の形態３における妨害信号も、予め予想される周波数を排除するものである。例えば、付近の工場から出力される予め定められた送信信号等がある場合である。実施の形態３において、実施の形態１，２と同じものについては、同符号を付し説明を簡略化している。
【００３４】
実施の形態３は、入力端子２２に妨害周波数を通過させる妨害通過フィルタ４６ａを接続し、この妨害通過フィルタ４６ａの出力と切り替えスイッチ２３の制御端子との間に、妨害信号検出器４７を接続したものである。そして、この妨害通過フィルタ４６ａの中心周波数と妨害除去フィルタ２４ｃの中心周波数とは等しくしておく必要がある。なお、この妨害通過フィルタ４６ａの中心周波数と妨害除去フィルタ２４ｃの中心周波数とを連動して可変させるようにしておいても良い。
【００３５】
以上のように構成された高周波装置において、アンテナ２１に入力された高周波信号とともに妨害信号が入力され、この妨害信号が予め定められた値以上の場合には、その値を妨害信号検出器４７で検出して、切り替えスイッチ２３を一方の端子２３ｂ側へ切り替える。
【００３６】
このことにより、アンテナ端子２１から入力された妨害信号は妨害除去フィルタ２４ｃで除去される。従って、誤りの無いデジタル放送を受信することができる。この場合、アナログ放送受信専用の場合には、復調器３０や誤り訂正回路３１は不要となる。
【００３７】
なお、実施の形態２と同様に、復調器３０、誤り訂正回路３１、誤り訂正計数器３８を設け、この出力が誤り訂正可能範囲であったなら、例え、妨害信号検出器４７の出力が予め定められた電圧以上の場合であったとしても、切り替えスイッチ２３を一方の端子２３ｂ側へ切り替えて、妨害除去フィルタ２４ｃを通過させる必要はない。従って、妨害除去フィルタ２４の影響はなく、品質の高い受信が可能となる。
【００３８】
なお、本実施の形態１〜３に記載の高周波装置において、誤り訂正回路３１内にＣ／Ｎ検出回路を設け、このＣ／Ｎ検出回路から出力されるＣ／Ｎ検出信号を利用して、妨害除去フィルタ２４を制御しても、同様の効果が得られる。
【００３９】
さらに、本実施の形態１〜３における高周波装置では、デジタル放送を受信する高周波装置を例に用いたが、これは、アナログ放送を受信する高周波装置であっても良い。ただし、この場合には、誤り訂正回路３１はないので、この誤り訂正回路３１の替わりにＣ／Ｎ検出回路を設け、このＣ／Ｎ検出回路から出力される信号を利用して、妨害除去フィルタ２４の制御をすることができる。
【産業上の利用可能性】
【００４０】
本発明の高周波装置は、妨害信号の影響を少なくすることができるので、妨害信号のある場合で使用する高周波機器として有用である。
【図面の簡単な説明】
【００４１】
【図１】本発明の実施の形態１における高周波装置のブロック図
【図２】同、実施の形態２における高周波装置のブロック図
【図３】同、実施の形態３における高周波装置のブロック図
【図４】従来の高周波装置のブロック図
【符号の説明】
【００４２】
２２  入力端子
２４  妨害除去フィルタ
２７  混合器
３２  出力端子
３４  局部発振器
【図１】
2005303698.tif 000003
【図２】
2005303698.tif 000004
【図３】
2005303698.tif 000005
【図４】
2005303698.tif 000006